(57)【特許請求の範囲】
【請求項１】
オイルポンプと、該オイルポンプの吐出部側からエンジンまで設けられた上流流路と、オイルの圧力にて弁体が移動することでオイルのリリーフを行う油圧リリーフバルブと、オイルの油温を感知して無段階に開閉することでオイルのリリーフを行う感温リリーフバルブとを具備し、前記上流流路には前記油圧リリーフバルブと前記感温リリーフバルブとが並列に配置され、前記上流流路から前記オイルポンプ側寄りの位置に第１分岐部を介して分岐する第１リリーフ分岐流路と、前記エンジン側寄りの位置で第２分岐部を介して分岐する第２リリーフ分岐流路とに分かれ、前記第１リリーフ分岐流路に前記油圧リリーフバルブが設けられると共に前記感温リリーフバルブは設けられず、前記第２リリーフ分岐流路に前記感温リリーフバルブが設けられ前記油圧リリーフバルブは設けられず、前記感温リリーフバルブは、感温弁体と感温ハウジングとを備え、前記感温弁体は感温駆動部と感温弁部とを備え、該感温弁部は流入孔を有し、前記感温ハウジングは内周側面内に第２リリーフ流出部が形成され、前記感温弁部は摺動により前記第２リリーフ流出部を開閉可能としてなり、前記流入孔は前記第２リリーフ流出部よりも開口面積が小なる構成とし
てなることを特徴とするエンジンのオイル回路のリリーフ装置。
【請求項２】
請求項１において、低油温のとき、前記感温リリーフバルブは、オイルリリーフが行われてなることを特徴とするエンジンのオイル回路のリリーフ装置。
【請求項３】
請求項１において、中油温のとき、前記感温リリーフバルブは低油温付近でオイルリリーフの量が多く、高油温付近でオイルリリーフの量が少なくなるように行われてなることを特徴とするエンジンのオイル回路のリリーフ装置。
【請求項４】
請求項１において、高油温のとき、前記感温リリーフバルブは、オイルリリーフは行われないことを特徴とするエンジンのオイル回路のリリーフ装置。
【請求項５】
請求項１，２，３又は４の何れか１項の記載において、前記感温リリーフバルブは前記エンジンに設けられてなることを特徴とするエンジンのオイル回路のリリーフ装置。
【請求項６】
請求項１，２，３，４又は５の何れか１項の記載において、前記感温駆動部はサーモワックスによる油温検知によって出没するピストンを有してなることを特徴とするエンジンのオイル回路のリリーフ装置。
【請求項７】
請求項６において、前記感温弁部の流入孔は、前記感温弁部の頂部の外周とは交わらない構成としてなることを特徴とするエンジンのオイル回路のリリーフ装置。
【請求項８】
請求項１，２，３，４，５，６又は７の何れか１項の記載において、前記吐出部で且つ前記感温リリーフバルブの上流側近傍の位置には、前記感温リリーフバルブの感温駆動部にオイルの流れを集中させる突起部が膨出形成されてなることを特徴とするエンジンのオイル回路のリリーフ装置。
【請求項９】
請求項８において、前記突起部は、上流側では緩傾斜状に形成されてなることを特徴とするエンジンのオイル回路のリリーフ装置。
【発明の詳細な説明】
【技術分野】
【０００１】
本発明は、油圧リリーフバルブと感温リリーフバルブとを具備し、オイルの温度の高低にかかわらず、狙ったオイルの圧力でのオイルリリーフ（排出）の実行を可能とし、且つその構成を簡単にできるエンジンのオイル回路のリリーフ装置に関する。
【背景技術】
【０００２】
従来、エンジンに潤滑及び冷却のためのオイルを供給するためのポンプで、吐出圧が所定値を超えた場合にリリーフを行うリリーフ弁を具備したものが種々存在している。さらに、圧力変化と共に、オイルの温度変化にも対応してリリーフを実行するかしないかを判断するタイプのエンジンのオイル回路のリリーフ装置も存在する。
【０００３】
この種の具体例として、特許文献１の第３の実施形態が存在する。特許文献１の第３の実施形態は、第一制御弁(4)と、第二制御弁(7)を備えたオイルポンプである。この特許文献１を概説する。なお、符号は特許文献１に使用されているものを、そのまま使用する。第一制御弁(4)は、オイルポンプＸ下流の吐出油路(5)における作動オイルの吐出圧が高い場合のリリーフ弁として機能する構成となっている。
【０００４】
第二制御弁(7)は、作動オイルの温度に応じて動作して前記第一制御弁(4)に対する制御、具体的には第一制御弁(4)の第二弁室(44)に流入する作動オイルの油圧を制御するための弁である。第二制御弁(7)は、作動オイルの温度に応じて弁体(72)の往復動作させる弁体作動機構(73)を備えている。弁体作動機構(73)は、伸縮する感温伸縮体(73a)であり、具体的には、形状記憶合金製のバネが用いられている。
【０００５】
前記第一制御弁(4)と前記第二制御弁(7)とは、第一弁間油路(91)と第二弁間油路(92)とによって連通されている。第一弁間油路(91)と第二弁間油路(92)との連通、非連通を切り替える事で第一制御弁(4)の弁体(42)での油圧の制御を行っている。このように、特許文献１では、第一制御弁(4)と第二制御弁(7)とは、単独で動作するものではなく、相互に関連しつつ動作する。
【先行技術文献】
【特許文献】
【０００６】
【特許文献１】特開２００６―２１４２８６号公報
【発明の概要】
【発明が解決しようとする課題】
【０００７】
特許文献１では、前記第二制御弁(7)は、油温の変化に従って、膨張したり収縮したりするものであるため、第一制御弁(4)は油温に影響されて動作する。高油温時とはおよそ油温１１０℃〜１３０℃程度であり、例えば油温５０℃の時は油温１１０℃〜１３０℃程度の時と比べてオイル粘度が高いため油圧は高くなっている。
【０００８】
よって、油温５０℃のような低油温時においては、ロータ回転数当たりの吐出圧が油温１１０℃〜１３０℃程度の時と比較して高くなることから、各図に記載された直線Ｌ1の傾きが急になり、そして吐出圧がある所定の値まで上昇した時に第一制御弁(4)が吐出圧のリリーフを行う。以上の動作より、低油温時の方が油圧が高くなるため、エネルギーロスが多く、低油温時での燃費向上の阻害要因となっていた。
【０００９】
感温バルブである第二制御弁(7)は、第一制御弁(4)のリリーフ圧を増減させるための制御弁であり、第二制御弁(7)の制御バラツキと第一制御弁(4)の制御バラツキが直列接続により足し合わされ、大きな制御バラツキとなってしまうものであった。また、第二制御弁(7)は流量では無く油圧を制御する弁であるため、多少なりとも連通すれば油圧はほぼ全てが伝播するいわゆるＯＮ・ＯＦＦ式の弁であり、細かい制御は困難なものであった。
【００１０】
そこで、本発明の目的(解決しようとする課題)は、極めて簡単な構成で、オイル温度の高低に係らず、ほぼ同じ油圧特性とすることができ、特に低油温時での燃費低下を抑制でき且つ安価で信頼性の高いエンジンのオイル回路のリリーフ装置を提供することにある。
【課題を解決するための手段】
【００１１】
そこで、発明者は、上記課題を解決すべく、鋭意，研究を重ねた結果、請求項１の発明をオイルポンプと、該オイルポンプの吐出部側からエンジンまで設けられた上流流路と、オイルの圧力にて弁体が移動することでオイルのリリーフを行う油圧リリーフバルブと、オイルの油温を感知して無段階に開閉することでオイルのリリーフを行う感温リリーフバルブとを具備し、前記上流流路には前記油圧リリーフバルブと前記感温リリーフバルブとが並列に配置され、前記上流流路から前記オイルポンプ側寄りの位置に第１分岐部を介して分岐する第１リリーフ分岐流路と、前記エンジン側寄りの位置で第２分岐部を介して分岐する第２リリーフ分岐流路とに分かれ、前記第１リリーフ分岐流路に前記油圧リリーフバルブが設けられると共に前記感温リリーフバルブは設けられず、前記第２リリーフ分岐流路に前記感温リリーフバルブが設けられ前記油圧リリーフバルブは設けられず、前記感温リリーフバルブは、感温弁体と感温ハウジングとを備え、前記感温弁体は感温駆動部と感温弁部とを備え、該感温弁部は流入孔を有し、前記感温ハウジングは内周側面内に第２リリーフ流出部が形成され、前記感温弁部は摺動により前記第２リリーフ流出部を開閉可能としてなり、前記流入孔は前記第２リリーフ流出部よりも開口面積が小なる構成としてなるエンジンのオイル回路のリリーフ装置としたことにより、上記課題を解決した。
【００１２】
請求項２の発明を、請求項１において、低油温のとき、前記感温リリーフバルブは、オイルリリーフが行われてなるエンジンのオイル回路のリリーフ装置としたことにより、上記課題を解決した。請求項３の発明を、請求項１において、中油温のとき、前記感温リリーフバルブは低油温付近でオイルリリーフの量が多く、高油温付近でオイルリリーフの量が少なくなるように行われてなるエンジンのオイル回路のリリーフ装置としたことにより、上記課題を解決した。請求項４の発明を、請求項１において、高油温のとき、前記感温リリーフバルブは、オイルリリーフは行われないエンジンのオイル回路のリリーフ装置としたことにより、上記課題を解決した。
【００１３】
請求項５の発明を、請求項１，２，３又は４の何れか１項の記載において、前記感温リリーフバルブは前記エンジンに設けられてなるエンジンのオイル回路のリリーフ装置としたことにより、上記課題を解決した。請求項６の発明を、請求項１，２，３，４又は５の何れか１項の記載において、前記感温駆動部はサーモワックスによる油温検知によって出没するピストンを有してなるエンジンのオイル回路のリリーフ装置としたことにより、上記課題を解決した。
【００１４】
請求項７の発明を、請求項６において、前記感温弁部の流入孔は、前記感温弁部の頂部の外周とは交わらない構成としてなるエンジンのオイル回路のリリーフ装置としたことにより、上記課題を解決した。請求項８の発明を、請求項１，２，３，４，５，６又は７の何れか１項の記載において、前記吐出部で且つ前記感温リリーフバルブの上流側近傍の位置には、前記感温リリーフバルブの感温駆動部にオイルの流れを集中させる突起部が膨出形成されてなるエンジンのオイル回路のリリーフ装置としたことにより、上記課題を解決した。請求項９の発明を、請求項８において、前記突起部は、上流側では緩傾斜状に形成されてなるエンジンのオイル回路のリリーフ装置としたことにより上記課題を解決した。
【発明の効果】
【００１５】
請求項１の発明では、オイルポンプの吐出部からエンジン又は該エンジンのメインギャラリに設けられた上流流路において、オイル圧力にて弁体が移動しつつリリーフを行う油圧リリーフバルブと、油温を感知して開閉する感温リリーフバルブとが並列に配置される構成としたことにより、油圧リリーフバルブと感温リリーフバルブとは相互に独立して作動するものである。
【００１６】
つまり、油圧リリーフバルブは、オイルポンプの吐出圧を感知してオイルリリーフ動作を行うか否かが決定され、感温リリーフバルブは油温を感知してオイルリリーフ動作を行うか否かが決定されるものである。したがって、オイルポンプから上流流路を介してエンジンにオイルを送る場合に、エンジンの低回転数域から高回転数域に亘って生じるオイルポンプの吐出圧の変化に対しては油圧リリーフバルブが作動し、油温の変化に対しては感温リリーフバルブが作動する。
【００１７】
油圧リリーフバルブと感温リリーフバルブとは、上流流路内において並列に配置されており、それぞれ個別又は両方が同時にリリーフ動作することができる。このために、オイルポンプからのオイル吐出圧と油温の何れか一方のみが変化して、オイルリリーフが必要な状況となれば、油圧リリーフバルブ又は感温リリーフバルブが対応し、オイルリリーフを行うことができるものである。
【００１８】
なお、ここで並列とは、油圧リリーフバルブと感温リリーフバルブとが直列に接続されない配置のことを意味し、上流流路から分岐して並列に配置されさえすれば、一方のリリーフバルブが相対的に上流寄りに配置され、他方のリリーフバルブが相対的に下流寄りに配置される構成も並列に含まれるものとする。
【００１９】
本発明の構成では、感温リリーフパルブと油圧リリーフバルブとは並列に接続されるので、それぞれのリリーフバルブが持つ制御バラツキは足し合わされること無く、より正確な制御が行える。また感温リリーフバルブは油温を感知して無段階に開閉することでオイルのリリーフを行う機能を有しているため、従来のようないわゆるＯＮ・ＯＦＦ式のバルブでは無く、無段階に開閉できる。例えば感温リリーフバルブを少しだけ開けば、少しだけリリーフするので、少しだけ油圧が低減され、よって感温リリーフバルブの開閉量を調整することで無段階に油圧の調整を行うことが出来る。
【００２０】
請求項２の発明では、低油温のとき、油圧リリーフバルブだけで無く、感温リリーフバルブからもオイルがリリーフされる。これによって油圧が高くなる低油温時では油圧リリーフバルブのリリーフの有無に関係なく、感温リリーフバルブから常にオイルがリリーフされる。以上より低油温時に油圧が高くなることを防止し、もって低油温時の燃費悪化を防止することが出来る。
【００２１】
請求項３の発明では、中油温のとき、前記感温リリーフバルブは低油温付近でオイルリリーフの量が多く、高油温付近でオイルリリーフの量が少なくなるように行われるものである。中油温は、低油温と高油温との間の温度範囲である。そのため、中油温内において低油温側寄りと高油温側寄りとでは、大きな温度差が有る。これによって中油温の範囲内では、オイルの粘度にも大きな差が生じる。
【００２２】
したがって、中油温内において、油温が低いほどオイルの粘度が大きく油圧は上昇し、油温が高いほど粘度は小さく油圧は減少する。そこで、感温リリーフバルブは、中油温内において、油温が低い範囲では、リリーフ量を増やすような制御を行っているため、油温が下がっていても油圧は上昇せず、吐出圧を略一定の低い油圧に維持することができ、燃費の悪化を引き起こさない。
【００２３】
請求項４の発明では、高油温のとき、前記感温リリーフバルブは、オイルリリーフは行われない構成である。これによって、冷却や潤滑を促進することができる。請求項５の発明では、感温リリーフバルブはエンジンに設けられる構成としたことにより、感温リリーフバルブをシリンダーブロック内に配置される油路であるメインギャラリの直近の上流側であり、且つエンジンのシリンダーブロックに取り付けることで、特別に感温リリーフバルブのバルブハウジングを用意することなく、エンジンのシリンダーブロックが感温リリーフバルブのハウジングを兼ねることができ、装置の小型化及び部品点数の削減を実現できる。
【００２４】
請求項６の発明では、感温リリーフバルブの構成を極めて簡単且つコンパクトにでき、本発明による装置全体を低価格にて提供することができる。請求項７の発明では、能力が異なり、且つサイズの種々異なるオイルポンプに対して、部品の共有化が図れた感温リリーフバルブを構成するこができ、よって本発明品を低価格にて提供することができる。また、感温リリーフバルブのポンプハウジングへの装着において、感温弁部の流入孔と、感温ハウジングの第２リリーフ流出部との位置又は位相関係を考慮することなく装着することができる。請求項８の発明では、感温リリーフバルブにおける油温の変化を検知し易くして、感温リリーフバルブの応答を迅速にすることができる。請求項９の発明では、感温リリーフバルブにオイルの流れを集中させるように流れが屈曲してもオイルの流れの乱流を最小限に抑えることができる。
【図面の簡単な説明】
【００２５】
【図１】本発明において第１実施形態のリリーフ流路を有するエンジンのオイル循環回路の構成を示す略示図である。
【図２】低油温且つエンジンの低回転数域におけるオイルのリリーフ動作を示す拡大略示図である。
【図３】低油温且つエンジンの中回転数域から高回転数域におけるオイルのリリーフ動作を示す拡大略示図である。
【図４】（Ａ）は中油温範囲の低油温寄りで且つエンジンの低回転数域におけるオイルのリリーフ動作を示す拡大略示図、（Ｂ）は中油温範囲の高油温寄りで且つエンジンの低回転数域におけるオイルのリリーフ動作を示す拡大略示図である。
【図５】（Ａ）は中油温範囲の低油温寄りで且つエンジンの中回転数域から高回転数域におけるオイルのリリーフ動作を示す拡大略示図、（Ｂ）は中油温範囲の高油温寄りで且つエンジンの中回転数域から高回転数域におけるオイルのリリーフ動作を示す拡大略示図である。
【図６】高油温且つエンジンの低回転数域におけるオイルのリリーフ動作を示す拡大略示図である。
【図７】高油温且つエンジンの中回転数域から高回転数域におけるオイルのリリーフ動作を示す拡大略示図である。
【図８】本発明において第２実施形態のリリーフ流路を有するエンジンのオイル循環回路の構成を示す略示図である。
【図９】本発明の特性を示すグラフである。
【図１０】（Ａ）は本発明におけるオイルポンプに油圧リリーフバルブ及び感温リリーフバルブを組み込んだ構成の実施形態の平面図、（Ｂ）は（Ａ）のＹ1-Ｙ1矢視断面図、（Ｃ）は（Ａ）の（α）部の一部断面にした図、（Ｄ）は（Ｂ）の（β）部拡大図である。
【図１１】（Ａ）は感温リリーフバルブの多量のオイルをリリーフする状態の要部拡大断面図、（Ｂ）は感温リリーフバルブの少量のオイルをリリーフする状態の要部拡大断面図、（Ｃ）は感温リリーフバルブによってオイルのリリーフをしない状態の要部拡大断面図である。
【図１２】感温リリーフバルブはオイルのリリーフをしない状態とし、油圧リリーフバルブにてオイルのリリーフをしている状態を示す一部断面にした要部拡大図である。
【図１３】（Ａ）は感温リリーフバルブにおける感温駆動部と感温弁部との構成を示す一部断面にした側面図、（Ｂ）は長円形の流入孔を有する感温弁部の斜視図、（Ｃ）は円形の流入孔を有する感温弁部の斜視図である。
【図１４】（Ａ）は感温駆動部のピストンに対して異なる外径寸法を有する複数の感温弁部から選択しピストンに接続可能であることを示す断面図、（Ｂ）はポンプハウジング内の感温ハウジング箇所の断面図である。
【図１５】（Ａ）は図１０（Ａ）のＸ1−Ｘ1矢視断面図、（Ｂ）は（Ａ）の（γ）部拡大図、（Ｃ）は（Ａ）の（γ）部において別の実施形態の突起部を設けた構成の拡大図である。
【図１６】突起部が形成されない場合の吐出部のオイルの流れを示すポンプの要部拡大図である。
【発明を実施するための形態】
【００２６】
本発明の実施形態を図面に基づいて説明する。本発明は、主に油圧リリーフバルブＡと、感温リリーフバルブＢと、オイル循環回路６と、上流流路６１と、下流流路６２と、オイルポンプ９とからなる（図１，図８参照）。油圧リリーフバルブＡは、オイルポンプ９からの吐出圧によって、リリーフ（排出）動作するものである。油圧リリーフバルブＡは、弁体１と、弾性部材２と、弁ハウジング３とから構成される（図１，図８参照）。
【００２７】
弁体１は、円筒形状の小径部１１と大径部１２とから構成され、両者は、同一軸芯で且つ軸方向に一体形成される。小径部１１は、略円柱状となるように軸方向に長く形成され、大径部１２は扁平円筒形状に形成される。小径部１１の軸方向一端の端面〔図１において弁体１の上端面〕は、受圧面１１ａである。
【００２８】
大径部１２の軸方向他端〔図１において弁体１の下端面〕には、円筒形状の突起部１４が形成されている。該突起部１４は、コイルバネ等の弾性部材２を支持する役目をなすものであり、突起部１４は、コイルバネとした弾性部材２内に挿入される構造となる。
【００２９】
弁ハウジング３は、小径弁室３１と大径弁室３２とから構成される。小径弁室３１は、前記弁体１の小径部１１が摺動する弁室であり、大径弁室３２は、大径部１２が摺動する弁室である。なお、小径弁室３１では、小径部１１のみが摺動するが、大径弁室３２では、大径部１２と共に小径部１１も入り込む。
【００３０】
弁ハウジング３の小径弁室３１には、その軸方向端部（図１の弁ハウジング３の上端箇所）に第１リリーフ流入部３３が形成される。該第１リリーフ流入部３３は、弁ハウジング３と弁体１の頂部との間に配置され、油圧リリーフバルブＡにオイルを流入させる役目をなすものである。
【００３１】
また、弁ハウジング３の小径弁室３１の軸方向中間箇所から、前記大径弁室３２との境界箇所の間の適宜の位置には第１リリーフ流出部３４が形成される。該第１リリーフ流出部３４は、弁体１の小径部１１の往復摺動によって開閉されるものであり、開かれたときにはオイルを弁ハウジング３から外部に排出し、オイルをオイルポンプ９の吸入側又はオイルパン１０１に戻す役目をなすものである。油圧リリーフバルブＡは、上記の構成としたものに限らず、オイルの圧力を感知して作動するものであれば、どのようなものでもかまわない。
【００３２】
また、第１リリーフ流出部３４は、２個設けられることもある。この場合、２個の第１リリーフ流出部３４，３４は、弁体１の移動方向に所定間隔をおいて配置される。第１リリーフ流出部３４が２個設けられることによって、より細かい油圧制御が可能になる。
【００３３】
感温リリーフバルブＢは、感温弁体４と感温ハウジング５とから構成される。感温弁体４は、感温弁部４１と感温駆動部４２とから構成され、感温駆動部４２がオイルの温度を検知して、感温弁部４１を感温ハウジング５内で摺動させる。感温ハウジング５には、第２リリーフ流入部５１と第２リリーフ流出部５２が形成されている。
【００３４】
ここで、従来の感温センサを備えた感温リリーフバルブは動作を開始し終了するまでの油温の変化の差が５°Ｃ乃至１０°Ｃ程度を意図して設計されている。しかし、本発明における感温リリーフバルブＢは、オイルのリリーフを行うための動作を始めて終了するまでの温度差をさらに大きくしており、具体的には約５０°Ｃ（必要に応じて約４０°Ｃ）で動作を開始し、約１２０°Ｃ（必要に応じて約１４０°Ｃ程度）で動作を終了するものであり、その油温の差は約７０°Ｃ（或いは約１００°Ｃ）である。
【００３５】
このように、本発明における感温リリーフバルブＢのオイルのリリーフを行うための動作を行う温度範囲を従来のものよりも格段に拡げたものである。そして、低い油温から高い油温に向かって感温弁部４１が移動方向の始端部から終端部に向かって徐々に移動することができるようになっている。つまり、従来のようなＯＮ・ＯＦＦ制御ではなく、広い油温範囲で油温に追従してゆく制御とすることができるものである。
【００３６】
感温駆動部４２は、感温センサとしての役目を具備している。具体的には、シリンダタイプの部材で、シリンダ４２ａとピストン４２ｂとから構成される。シリンダ４２ａには、感温センサ４２ｃが設けられている。感温センサ４２ｃとしては、サーモワックスが使用されている。具体的には、シリンダ４２ａにサーモワックスが充填された部分が設けられ（図１参照）、該サーモワックスが検知する温度の高低により膨張及び熱収縮を行い、前記ピストン４２ｂがシリンダ４２ａに対して伸縮動作を行うものである。
【００３７】
感温センサ４２ｃにサーモワックスが使用される構成にすることによって、装置を安価なものとすることができる。また、サーモワックスは、膨張，収縮が略正確にできることによって、感温弁体４は、より一層円滑に動作することができる。
【００３８】
前述したように、感温リリーフバルブＢは、従来のようなＯＮ・ＯＦＦ制御ではなく、広い油温範囲で油温に追従してゆく制御とすることができるものである。そして、感温リリーフバルブＢの感温弁体４は、油温の高低の変化に対して、徐々に伸縮量が変化するものである。つまり、感温弁体４は、オイルの油温が上昇することにより、第２リリーフ流入部５１と第２リリーフ流出部５２との開口を徐々に狭くするように閉じるものであり、第２リリーフ流入部５１と第２リリーフ流出部５２とを介して流れるオイルの量を徐々に減少させてゆくことができる構成である。
【００３９】
また、油温が下降するときには、第２リリーフ流入部５１と第２リリーフ流出部５２との全閉状態から徐々に開口面積が広くなるように開き、オイルがリリーフする量を徐々に増加させることができるようにしたものである。つまり、感温弁体４の動作を制御する感温駆動部４２は、油温の高低で、単に第２リリーフ流入部５１と第２リリーフ流出部５２とを、全開状態と全閉状態との何れか一つの状態とする構造としたものではない。
【００４０】
本発明では、第２リリーフ流入部５１と第２リリーフ流出部５２との全閉と全開の状態に加えて、その開閉途中の状態にすることもできる構成としたものである。すなわち、感温弁体４は、第２リリーフ流入部５１と第２リリーフ流出部５２の開き面積を、オイルの油温に対応して最適に調整することができるようにしたものである。
【００４１】
このような構造によって、油温の高低の変化により、感温弁部４１が感温ハウジング５内を往復移動する。このとき、オイルが低油温の場合には前記第２リリーフ流入部５１と前記第２リリーフ流出部５２とを全開として、感温リリーフバルブＢを通過するオイルのリリーフ量を最大とする。また、オイルが高油温の場合には第２リリーフ流入部５１と第２リリーフ流出部５２とを全閉として、感温リリーフバルブＢによるオイルのリリーフは行われない。
【００４２】
そして、油温が中油温の場合では、中油温の範囲内で低油温寄りでは第２リリーフ流入部５１と第２リリーフ流出部５２との開口面積は、全開状態のときよりも若干小さくなる。また、中油温の範囲内で高油温寄りでは、第２リリーフ流入部５１と第２リリーフ流出部５２とは全閉ではなく、開口面積が小さい状態で開く。
【００４３】
つまり、油温が中油温において、低油温寄りでは、オイルのリリーフ量を多い状態にでき、高油温寄りでは、オイルのリリーフ量を少ないものにできる。このように、オイルの油温が中油温では、オイルのリリーフ量を大小に無段階に調整することができる構造としている。
【００４４】
前記感温駆動部４２には、感温センサ４２ｃとしてサーモワックスを用いたが、感温駆動部４２は、これに限定されることなく、たとえば形状記憶合金，バイメタル等が使用されることもある。前記感温駆動部４２に使用するサーモワックス，形状記憶合金，バイメタル等は、電気系統を一切使用しないもので、本発明ではこれを非電子制御部品と称する。前記感温リリーフバルブＢにおける感温駆動部４２に、非電子制御部品を使用することにより、電子制御系の部品を使用しないので、電気系統の不具合からくる影響を受けることなく、安定した作動にすることができる。
【００４５】
また、感温弁部４１は、第２リリーフ流入部５１と第２リリーフ流出部５２を常時連通状態にする方向に、感温駆動部４２の荷重と逆方向に荷重を加えるコイルバネ等の補助弾性部材４３が具備されている。
【００４６】
以上のように、感温リリーフバルブＢの感温センサ４２ｃには、非電子制御部品が使用されることによって、電子制御系の部品を使用しないので、電気系統の不具合からくる影響を受けることなく、安定した作動にすることができる。
【００４７】
オイルポンプ９は、内接歯車式ポンプであって、ポンプハウジング９１と、インナーロータ９５と、アウターロータ９６とから構成される。ポンプハウジング９１内にはロータ室９２が形成され、吸入ポート９３と吐出ポート９４とが形成されている。ポンプハウジング９１において、吸入ポート９３が形成されている側を吸入部９Ａと称し、吐出ポート９４が形成されている側を吐出部９Ｂと称する。そして、吸入部９Ａには吸入ポート９３と共に該吸入ポート９３の吸入口等を含めた構成が備わっており、吐出部９Ｂには吐出ポート９４と共に吐出ポート９４の吐出口等を含めた構成が備わっている。
【００４８】
前記ロータ室９２には、インナーロータ９５とアウターロータ９６とが配置されている。インナーロータ９５には、外歯が形成され、アウターロータ９６には内歯が形成されており、アウターロータ９６内にインナーロータ９５が配置され、インナーロータ９５が駆動して、アウターロータ９６と共に回転し、吸入ポート９３から吸入したオイルを吐出ポート９４から吐出する。
【００４９】
オイルポンプ９は、オイル循環回路６に組み込まれている。該オイル循環回路６は、自動車等のエンジンＥにオイルポンプ９によって潤滑油を供給するものである。そして、オイル循環回路６において、オイルポンプ９の吐出部９ＢからエンジンＥまでの流路を上流流路６１と称し、エンジンＥからオイルポンプ９の吸入部９Ａまでの流路を下流流路６２と称する。また、下流流路６２内には、オイルパン１０１が設けられ、該オイルパン１０１を介してオイルポンプ９の吸入部９Ａに連通する構成とすることもある。
【００５０】
オイルポンプ９とエンジンＥとの間、つまりオイル循環回路６の上流流路６１の中間箇所とオイルポンプ９の吸入部９Ａとの間には、リリーフ流路７が設けられている。該リリーフ流路７には、前記油圧リリーフバルブＡと前記感温リリーフバルブＢとが並列となるように設けられている。
【００５１】
リリーフ流路７の構成としては、２つの実施形態が存在し、その第１実施形態では、前記上流流路６１からオイルポンプ９側寄りの位置で、第１分岐部７ａを介して分岐する第１リリーフ分岐流路７１と、エンジンＥ側寄りの位置で第２分岐部７ｂを介して分岐する第２リリーフ分岐流路７２とに分かれている（図１参照）。
【００５２】
そして、第１リリーフ分岐流路７１と第２リリーフ分岐流路７２とは並列の流路となり、前記第１リリーフ分岐流路７１に油圧リリーフバルブＡが設けられ、前記第２リリーフ分岐流路７２に感温リリーフバルブＢが設けられ、このような構成とすることによって、油圧リリーフバルブＡと感温リリーフバルブＢとは並列となる。
【００５３】
第１リリーフ分岐流路７１において油圧リリーフバルブＡが設けられた位置の上流側の流路を、第１リリーフ分岐流路７１の第１上流分岐流路７１ａと称し、下流側の流路を、第１下流分岐流路７１ｂと称する。そして、油圧リリーフバルブＡの第１リリーフ流入部３３と前記第１上流分岐流路７１ａが接続され、第１リリーフ流出部３４と前記第１下流分岐流路７１ｂとが接続される(図１参照)。
【００５４】
同様に、第２リリーフ分岐流路７２において感温リリーフバルブＢが設けられた位置の上流側の流路を、第２リリーフ分岐流路７２の第２上流分岐流路７２ａと称し、下流側の流路を、第２下流分岐流路７２ｂと称する。そして、感温リリーフバルブＢの第２リリーフ流入部５１と前記第２上流分岐流路７２ａが接続され、第２リリーフ流出部５２と前記第２下流分岐流路７２ｂとが接続される(図１参照)。
【００５５】
第１リリーフ分岐流路７１と第２リリーフ分岐流路７２とは、共にオイルパン１０１を介してオイルポンプ９の吸入部９Ａ側にオイルを送ることができるようになっている。またリリーフ流路７の第２実施形態としては、オイル循環回路６の上流流路６１の中間箇所からオイルポンプ９の吐出部９Ｂ側に連通する１本の上流共有流路７３が設けられ、該上流共有流路７３から上流二股分岐部７ｃが設けられ、該上流二股分岐部７ｃから第１リリーフ分岐流路７１と第２リリーフ分岐流路７２とが並列状態で設けられる（図８参照）。
【００５６】
第１リリーフ分岐流路７１と第２リリーフ分岐流路７２の一方側には油圧リリーフバルブＡが設けられ、他方には感温リリーフバルブＢが設けられる。そして、第１リリーフ分岐流路７１と第２リリーフ分岐流路７２との下流端部で、下流二股合流部７ｄが設けられ、該下流二股合流部７ｄから下流共有流路７４が設けられる。該下流共有流路７４は、オイルポンプ９の吸入部９Ａにオイルパン１０１を介して連通している。
【００５７】
このように、リリーフ流路７の第２実施形態は、上流側端部と下流側端部との間で二股状となるように第１リリーフ分岐流路７１と第２リリーフ分岐流路７２が設けられ、これらに、油圧リリーフバルブＡと感温リリーフバルブＢが並列状態となるように配置されている構成としたものである。
【００５８】
第１実施形態のオイル循環回路６の上流流路６１において、油圧リリーフバルブＡは、オイルポンプ９側寄りの位置に設けられ、感温リリーフバルブＢは、エンジンＥ側寄りに設けられ、特に、エンジンＥのメインギャラリにおける上流側の直近又は直前の位置に設けられることが好ましい。これによって、エンジンＥのメインギャラリの油温により近い油温によって、感温リリーフバルブＢの制御が行なえ、正確な制御を行うことができる。
【００５９】
エンジンＥは、特に図示しないが、シリンダーヘッド，シリンダーブロックからなり、該シリンダーブロック内には、前記上流流路６１の最下流部分であるメインギャラリ（つまりエンジンＥ内に設けられた油路）が形成されている。
【００６０】
感温リリーフバルブＢは、エンジンＥと一体構造となるようにシリンダーブロック内に組み込まれることがあり、油圧リリーフバルブＡは、前記オイルポンプ９は一体構造とする構成とし、ポンプハウジング９１に組み込まれることもある。このような構成であっても、油圧リリーフバルブＡと感温リリーフバルブＢとはリリーフ流路７において並列となっている。
【００６１】
オイル循環回路６におけるオイルの基本的な流れについて説明する。オイルポンプ９の吐出部９Ｂ側から吐出されたオイルは、オイル循環回路６に流れ、上流流路６１を介して、エンジンＥに潤滑及び冷却としてのオイルが供給される。そして、エンジンＥ内を循環したオイルは、下流流路６２を流れ、再びオイルポンプ９の吸入部９Ａ側に戻る。このとき、下流流路６２とオイルポンプ９の吸入部９Ａとの間にオイルパン１０１が設けられているときには、該オイルパン１０１に溜められる（図１参照）。
【００６２】
次に、本発明におけるリリーフ装置のリリーフ動作を説明する。オイルのリリーフが行われるリリーフ流路７には、前述したように、油圧リリーフバルブＡと感温リリーフバルブＢとが並列に配置され、それぞれが独立してリリーフ動作を行う。そして、オイルポンプ９からのオイル吐出圧の増加或いは油温の高低によって、油圧リリーフバルブＡと感温リリーフバルブＢのそれぞれが個別に動作する。
【００６３】
以下、オイルのリリーフ動作を、油温の高低及びエンジンＥの回転数の高低に応じて、以下の場合について説明する。ここで、オイルの油温が低油温とは、約５０°Ｃ以下の場合であり、この低油温には約４０°Ｃから約６０°Ｃより低い温度範囲を有するものである。また、中油温とは、約４０°Ｃから約１３０°Ｃの範囲内であるが、本発明では約５０°Ｃから約１２０°Ｃとする。また、高油温とは約１２０°Ｃ以上とする。また、図１乃至図８において、オイル循環回路６及びリリーフ流路７に沿って記載された矢印は、オイルの流れとその方向を示すものである。
【００６４】
オイルが低油温で且つエンジンＥが低回転数域のときにおけるオイルのリリーフ動作は以下の通りである（図２参照）。前記感温リリーフバルブＢは、オイルのリリーフが行われ、前記油圧リリーフバルブＡはオイルのリリーフが行われない。このような状況の具体例としては、例えばエンジンＥの始動直後であって、オイルが十分に温まっていない場合である。したがって、オイルは低油温で、オイルの粘度は高くなっている。
【００６５】
油圧は低いので、油圧リリーフバルブＡによるリリーフ動作は行われない。これに対して、感温リリーフバルブＢは、低い油温のときに弁体４は、第２リリーフ流入部５１と第２リリーフ流出部５２とが連通するように開き状態とし、第２リリーフ分岐流路７２はオイルが流れ、リリーフが行われる。
【００６６】
オイルが低油温で且つエンジンＥが中回転数域及び高回転数域のときにおけるオイルのリリーフ動作は以下の通りである（図３参照）。感温リリーフバルブＢ及び油圧リリーフバルブＡは、共にオイルのリリーフが行われる。つまり、エンジンＥが中回転数域及び高回転数域の状態では、オイルの圧力も高くなるので、油圧リリーフバルブＡが作動し、油圧によるリリーフが行われる。
【００６７】
オイルが中油温で且つエンジンＥが低回転数域のときにおけるオイルのリリーフ動作は以下の通りである（図４参照）。感温リリーフバルブＢは、中油温の範囲内における低油温寄りでオイルのリリーフの量が多くなるようにオイルのリリーフが行われる〔図４（Ａ）参照〕。また、中油温の範囲内における高油温寄りでオイルのリリーフの量が少なくなるように第２リリーフ流入部５１と第２リリーフ流出部５２との連通量を少なくする。油圧リリーフバルブＡは、エンジンＥが低回転数域の状態であり、オイルの圧力が低いので、オイルのリリーフは行わない〔図４（Ｂ）参照〕。
【００６８】
オイルが中油温で且つエンジンＥが中回転数域及び高回転数域のときにおけるオイルのリリーフ動作は以下の通りである（図５参照）。感温リリーフバルブＢは、中油温の範囲内における低油温寄りでオイルのリリーフの量が多くなるようにオイルのリリーフが行われる〔図５（Ａ）参照〕。また、中油温の範囲内における高油温寄りでオイルのリリーフの量が少なくなるようにオイルのリリーフが行われる。油圧リリーフバルブＡは、エンジンＥが中回転数域及び高回転数域ではオイルの圧力も上昇するので、オイルのリリーフを行うものである〔図５（Ｂ）参照〕。
【００６９】
オイルが高油温で且つエンジンＥが低回転数域のときにおけるオイルのリリーフ動作は以下の通りである（図６参照）。感温リリーフバルブＢは、高油温では、全閉となりオイルのリリーフは行わない。また、油圧リリーフバルブＡは、エンジンＥが低回転数域の状態であり、オイルの圧力が低いので、オイルのリリーフは行わない。
【００７０】
オイルが高油温で且つエンジンＥが中回転数域及び高回転数域のときにおけるオイルのリリーフ動作は以下の通りである（図７参照）。感温リリーフバルブＢは、高油温では、全閉となりオイルのリリーフは行わない。また、油圧リリーフバルブＡは、オイルポンプ９からの吐出圧は高いので、オイルのリリーフは行われる。
【００７１】
以上のように、本発明におけるリリーフ装置では、オイルの低油温，中油温，高油温及びエンジンＥの低回転数域，中回転数域及び高回転数域でのそれぞれの状況に応じて、適正なオイルのリリーフが行われるものである。これによって、本発明の油圧特性を示すグラフ（図９参照）に示されているように、本発明の油圧特性は、低油温であっても中油温であっても、高油温と同等の低い油圧特性にできる。
【００７２】
以下、本発明の主要な構成を述べる。リリーフ流路７は、第１リリーフ分岐流路７１と第２リリーフ分岐流路７２とが並列をなすように設けられ、前記第１リリーフ分岐流路７１には油圧リリーフバルブＡが設けられ、前記第２リリーフ分岐流路７２には感温リリーフバルブＢが設けられている。
【００７３】
前記感温リリーフバルブＢの油温を感知するセンサ（感温センサ４２ｃ）は、非電子部品が使用される。さらに、前記感温リリーフバルブＢは、油温を感知して移動する感温弁体４の動作は油温の高低の変化に対して徐々に滑らかに移動するものである。
【００７４】
本発明におけるリリーフ装置は以上述べたように、低油温のとき、前記感温リリーフバルブＢは、オイルリリーフが行われ、中油温のとき、前記感温リリーフバルブＢは低油温寄りでオイルのリリーフの量が多く、高油温寄りでオイルのリリーフの量が少なくなるように行われ、高油温のとき、前記感温リリーフバルブＢは、オイルのリリーフは行われないことを特徴としたものである。
【００７５】
また、本発明の実施形態においては、前記オイルポンプ９は内接歯車式ポンプとしたが、これに限定されるものではなく、外接歯車式ポンプ、ベーンポンプ等が使用されても構わない。つまり油圧発生源としてのポンプであればポンプの種類は問わないものである。
【００７６】
さらに、本発明の実施形態においては、感温センサ４２ｃによる制御をより正確に、且つより応答性を良くするため、感温センサ４２ｃは上流流路６１に対して隣接又は一部突入して配置されると良い。また、本発明の第２実施形態において、弁ハウジング３と感温ハウジング５とを鋳造等により一体形成される構造にすることにより、部品点数が削減される。
【００７７】
次に、油圧リリーフバルブＡ及び感温リリーフバルブＢの具体的な構成を説明する。ここで、油圧リリーフバルブＡ及び感温リリーフバルブＢは、ポンプハウジング９１内に組み込まれ、油圧リリーフバルブＡ及び感温リリーフバルブＢを一体的に組み合わせてユニットとしたオイルポンプ９の構造として説明する〔図１０（Ａ）参照〕。
【００７８】
また、説明を理解し易くするために、ポンプハウジング９１に上下方向を設定する。ポンプハウジング９１の上下方向は、図１０（Ａ）において、インナロータ９５及びアウターロータ９６の回転する方向を垂直面としたときの垂直方向を上下方向とする。上下方向については、図１０に記載されている。図中において、９８は駆動軸であり、該駆動軸９８は、エンジンＥの動力によって回転し、インナーロータ９５及びアウターロータ９６を回動させる。
【００７９】
油圧リリーフバルブＡは、前述したように、弁体１と、弾性部材２と、弁ハウジング３とから構成される。感温リリーフバルブＢは、上流流路６１に設けられる。該上流流路６１は、ポンプハウジング９１の吐出部９Ｂに続く流路であるが、ここでは、上流流路６１は、ポンプハウジング９１内に一体的に形成されて組み込まれる構造としている〔図１０（Ａ）参照〕。
【００８０】
このように上流流路６１におけるポンプハウジング９１内に形成された部分をハウジング内上流流路６１１と称する。該ハウジング内上流流路６１１は、吐出部９Ｂを構成する流路であり、吐出ポート９４からポンプハウジング９１の外部へオイルを吐出する吐出口までの油路である。また、ハウジング内上流流路６１１は、ポンプハウジング９１の上下方向に対して水平方向に延在する流路となっている〔図１０（Ａ），（Ｃ），図１２参照〕。
【００８１】
前記ハウジング内上流流路６１１の下端面には、弁ハウジング３が形成され、弁ハウジング３には弁体１及び弾性部材２が装着され、弁体１は弾性部材２によって常時上方に弾性付勢されている。弁ハウジング３の上端箇所は、前記ハウジング内上流流路６１１に交わる部分で、開口３ａとなっている。該開口３ａは、前記リリーフ流路７と前記第１リリーフ流入部３３に相当する部分として使用される部位である。
【００８２】
つまり、リリーフ流路７の第１分岐部７ａ，第１リリーフ分岐流路７１の上流分岐流路７１ａの部分が前記開口３ａにまとめて備わったものである。弁ハウジング３の開口３ａ部分の内径は、弁体１の外径よりも小さく形成されており、弁体１は、開口３ａから上方に突出できない構成となっている。
【００８３】
前記弁ハウジング３の内周側面３ｂの適宜の位置に第１リリーフ流出部３４が形成されている。該第１リリーフ流出部３４は、吸入ポート９３に接続され、第１リリーフ流出部３４から流出するリリーフオイルは、第１リリーフ分岐流路７１の下流分岐流路７１ｂによって、吸入ポート９３に送り込まれる。前記下流分岐流路７１ｂは、ポンプハウジング９１内に一体的に形成されている。前記第１リリーフ流出部３４は、２個が弁ハウジング３の上下方向に沿って並列状に設けられている〔図１０（Ａ）参照〕。
【００８４】
感温リリーフバルブＢは、前述したように、感温弁体４と感温ハウジング５とから構成される。感温リリーフバルブＢは、前記ハウジング内上流流路６１１で且つ前記油圧リリーフバルブＡに対して下流側に隣接して設けられている。感温ハウジング５は、ハウジング内上流流路６１１から分岐するようにして形成されている。
【００８５】
感温ハウジング５は、ポンプハウジング９１の上下方向に沿って形成され、円筒状の内周側面５ｂと、円形状の底面５ｃとによって円筒状の空間に形成されている。感温ハウジング５の上端箇所は、前記ハウジング内上流流路６１１に交わる部分で、開口５ａとなっている。
【００８６】
該開口５ａは、前記リリーフ流路７と前記第２リリーフ流入部５１に相当する部分として使用される部位である。つまり、リリーフ流路７の第２分岐部７ｂ，第２リリーフ分岐流路７２の第２上流分岐流路７２ａの部分が前記開口５ａにまとめて備わったものである。前記内周側面５ｂの適宜の位置に第２リリーフ流出部５２が形成されている。
【００８７】
該第２リリーフ流出部５２は、オイルパン１０１又は吸入ポート９３に接続され、第２リリーフ流出部５２から流出するリリーフオイルは、第２リリーフ分岐流路７２の第２下流分岐流路７２ｂによって、オイルパン１０１又は吸入ポート９３に送り込まれる。前記第２下流分岐流路７２ｂは、ポンプハウジング９１内に一体的に形成されることもある。
【００８８】
感温弁体４の感温弁部４１は、円筒部４１１と頂部４１２とから形成されており、円筒部４１１の上端に頂部４１２が一体形成され、略円筒カップ状となしている〔図１０（Ｄ）参照〕。該頂部４１２には、感温駆動部４２のピストン４２ｂの軸端が挿入接続される接続部４１３が形成されている。該接続部４１３は、ピストン４２ｂが挿入可能な円筒形状に形成されたものである〔図１３（Ｂ），（Ｃ）参照〕。
【００８９】
前記頂部４１２には、流入孔４１４が形成されている〔図１０（Ｄ），図１１，図１３（Ｂ），（Ｃ），図１４（Ａ）等参照〕。該流入孔４１４は、前記接続部４１３の周囲の適宜の箇所に１又は複数個が形成されたものである。流入孔４１４は、オイルが感温弁部４１を介して感温ハウジング５に送り込む役目をなすものである。
【００９０】
流入孔４１４は、種々の形状が存在する。その第１の形状としては、長円〔図１３（Ｂ）参照〕或いは楕円状である。長円としたものでは、全体の形状が略弧状に形成されている。流入孔４１４の第２の形状としては、円形状に形成されたものである〔図１３（Ｃ）参照〕。
【００９１】
流入孔４１４は、２個形成されるときには、前記接続部４１３を中心として、２個の流入孔４１４，４１４が点対称の位置となるように形成されることが好ましい。流入孔４１４は、その開口の総面積が前記第２リリーフ流出部５２の開口面積よりも小さく形成されている〔図１０（Ｄ），図１１，図１３（Ｂ），（Ｃ），図１４（Ａ）等参照〕。
【００９２】
感温弁部４１の流入孔４１４と、第２リリーフ流出部５２が直列状に配置される場合は、リリーフ量は、流入孔４１４と第２リリーフ流出部５２におけるその開口面積が小さい方の面積で略決定される。油温が低い場合は、第２リリーフ流出部５２は全開である。
【００９３】
よって油温が低い場合は、感温弁部４１の流入孔４１４の総面積のみでリリーフ量を決めることができる。また、油温が高い時は感温ハウジング５内の第２リリーフ流出部５２は、感温弁部４１によって全閉しているため、感温リリーフバルブＢによる油圧低減は行われない制御とすることが出来る。
【００９４】
感温駆動部４２は、前述したように、シリンダ４２ａとピストン４２ｂとから構成され、前記シリンダ４２ａには、サーモワックスが充填されている。該サーモワックスは、検知する油温の高低により膨張及び熱収縮を行い、前記ピストン４２ｂがシリンダ４２ａに対して出没することによる伸縮動作を行うものである。油温を検知する部分を感温センサ４２ｃとする。
【００９５】
感温駆動部４２は、前記ハウジング内上流流路６１１で、且つ前記感温ハウジング５が形成された箇所に対応する位置に装着される〔図１０（Ｃ），図１２参照〕。ハウジング内上流流路６１１には、感温駆動部４２が装着される装着部９７が形成されている。具体的には、ハウジング内上流流路６１１の感温ハウジング５形成箇所に対して、その直上の位置に感温駆動部４２が配置可能な程度の空隙とした装着部９７が形成されている〔図１０（Ｃ），図１２参照〕。
【００９６】
感温駆動部４２は、ホルダ４４を介して前記装着部９７に装着される。ホルダ４４は、感温駆動部４２を保持する保持部４４ａと外螺子４４ｂを有し、装着部９７には内螺子９７ａが形成されている。そして、前記保持部４４ａに感温駆動部４２のシリンダ４２ａが装着され、外螺子４４ｂと内螺子９７ａとが螺合し、感温駆動部４２が装着部９７に装着される。感温ハウジング５及び感温駆動部４２が備えられる位置は、ハウジング内上流流路６１１の吐出側端部の近傍である〔図１０（Ａ），（Ｃ），図１２参照〕。
【００９７】
次に、感温リリーフバルブＢの動作を説明する。感温弁部４１の頂部４１２には流入孔４１４が形成されており、ハウジング内上流流路６１１を流れる吐出オイルの一部は、常時流入孔４１４から感温ハウジング５に流れ込む。また、感温リリーフバルブＢの感温弁体４は、油温の高低の変化に対して、徐々に伸縮量が変化するものであり、低油温の場合は、感温駆動部４２のピストン４２ｂは、感温弁部４１を感温ハウジング５の上方に位置させ、第２リリーフ流出部５２を全開した状態にある〔図１１(Ａ)参照〕。
【００９８】
これによって、低油温では、流入孔４１４と第２リリーフ流出部５２をオイルが流れ、常時吐出オイルのリリーフが行われる。前記頂部４１２に形成された流入孔４１４は、頂部４１２の外周寄りに形成されず、該頂部４１２の中心寄りの領域で且つ軸方向に貫通形成される。つまり、流入孔４１４は、頂部４１２の外周寄りに交わることはなく、外周から離間した位置に形成される。
【００９９】
これは、流入孔４１４は、その一部が頂部４１２の外周縁に交わり、円筒部４１１側面に溝となる構成にしないものである。これによって、感温弁部４１を感温駆動部４２のピストン４２ｂに装着すると共に感温弁部４１を感温ハウジング５に挿入するときに、該感温ハウジング５内の第２リリーフ流出部５２の位置又は位相を考慮することなく、前記ピストン４２ｂを中心軸として水平面上を何れの角度であっても装着することができ、組付け作業が簡単となる。さらに、この組付け作業において、特別な治具や角度(位相)測定装置等を用意する必要もない。
【０１００】
ハウジング内上流流路６１１のオイルの油温が上昇することにより、感温弁部４１は感温ハウジング５内で下方に摺動し、第２リリーフ流出部５２との開口を徐々に狭くしてゆく。これによって、第２リリーフ流出部５２に流れ込むオイルの量が徐々に減少し、オイルのリリーフは少量となる〔図１１（Ｂ）参照〕。
【０１０１】
そして、さらに油温が上昇して高油温になると、感温弁部４１は、下方に摺動して第２リリーフ流出部５２を完全に閉じ（全閉）、第２リリーフ流出部５２からのオイルのリリーフはしなくなる〔図１１（Ｃ）参照〕。オイルが高油圧のときは、油圧リリーフバルブＡが第１リリーフ流出部３４を開いて、オイルのリリーフが行われる（図１２参照）。
【０１０２】
感温リリーフバルブＢにおいて、一つの感温駆動部４２に対して、異なる外径寸法を有する複数の感温弁部４１，４１，…を備える実施形態が存在する〔図１４（Ａ）参照〕。これは、感温弁部４１が摺動する感温ハウジング５の内径寸法が、オイルポンプ９の吐出量等の能力によって、種々変化することに対応できるようにしたものである〔図１４（Ｂ）参照〕。
【０１０３】
まず、異なる外径寸法Ｄ1，Ｄ2，Ｄ3，Ｄn，…（nは個数を示す正の整数）を有する感温弁部４１を複数個備えられる〔図１４（Ａ）参照〕。これらの異なる外径寸法を有する感温弁部４１の接続部４１３の内径寸法ｈは、全て同一である。そして、接続部４１３の内径ｈは、感温駆動部４２のピストン４２ｂの軸径（直径）ｄに合わせて、圧入或いはカシメによる接続手段による接続が可能となるようにしておく。
【０１０４】
オイルポンプ９内の感温リリーフバルブＢを装着するときには、感温ハウジング５の内径Ｈの大きさに合わせて、複数の感温弁部４１，４１，…から適正な外径寸法のものを選択し、選択した感温弁部４１を感温駆動部４２のピストン４２ｂと接続して使用する。これによって、多種の内径寸法の感温ハウジング５に対して、感温駆動部４２は、一種類のみとしておくことができ、感温リリーフバルブＢにかかる費用を低減することができる。
【０１０５】
油温が低い場合のリリーフ量を変更したい場合は、感温弁部４１の流入孔４１４の開ロ面積を変えるだけで良く、感温駆動部４２は一種類のみとすることができるという効果も有する。このように、感温リリーフバルブＢは、感温センサ４２ｃ，シリンダ４２ａ及びピストン４２ｂは、機種ごとに同じ物を用い、機種ごとの油圧特性自体はピストン４２ｂに固定された感温弁部４１の流入孔４１４の面積を変えるだけで多くの機種に広く用いることが出来る。つまり、感温センサ４２ｃ，シリンダ４２ａ及びピストン４２ｂは同じ物が使用できるため、量産効果で費用を安くすることが出来る。
【０１０６】
次に、吐出部９Ｂで且つ前記感温リリーフバルブＢの上流側近傍の位置には、前記感温リリーフバルブＢの感温駆動部４２にオイルの流れを集中させる突起部６１２が膨出形成される実施形態が存在する。具体的には、吐出部９Ｂを構成するハウジング内上流流路６１１において、突起部６１２は、感温駆動部４２の感温センサ４２ｃ箇所にオイルの流れ方向を合わせる役目をなすものである。突起部６１２は、感温リリーフバルブＢの上流側に極めて近接した状態で形成されている。
【０１０７】
前記突起部６１２は、ハウジング内上流流路６１１に上下方向に直交する断面が略直角三角形の山形状となるように形成されたものである。山形状とした突起部６１２の頂面部６１２ａは、円弧状に形成されたものである。そして、突起部６１２の上流側では、傾斜面６１２ｂが形成されている。
【０１０８】
該傾斜面６１２ｂは、弧状に形成され、内方に凹む形状としたり〔図１５（Ａ），（Ｂ）参照〕、外方に膨らむ形状〔図１５（Ｃ）参照〕としている。さらに、傾斜面６１２ｂは、急傾斜面としたり〔図１５（Ａ），（Ｂ）参照〕、緩傾斜面としている〔図１５（Ｃ）参照〕。
【０１０９】
突起部６１２の頂面部６１２ａの位置は、感温駆動部４２の感温センサ４２ｃに最も接近した位置であることが好ましい。突起部６１２によって、流れの方向が感温センサ４２ｃに向けられることで、突起部６１２が存在しない場合（図１６参照）に比較してオイルの流れを感温センサ４２ｃに集中させることができる〔図１５（Ｂ），（Ｃ）参照〕。
【０１１０】
ポンプハウジング９１は、ハウジング本体部９１１とカバー部９１２とから構成される。通常では、ハウジング本体部９１１側に、ロータ室９２，吸入ポート９３，吐出ポート９４等のポンプを構成する主要部が設けられ、ハウジング本体部９１１にカバー部９１２が装着されることにより、オイルポンプ９が構成される。また、前記ハウジング本体部９１１又はカバー部９１２の何れか一方がエンジン等のケーシングに一体形成されることもある。
【０１１１】
そして、ハウジング内上流流路６１１もポンプハウジング９１にカバー部９１２を装着することにより形成されることもあり、このときには、カバー部９１２に突起部６１２が形成される（図１５参照）。該突起部６１２は、カバー部９１２とは別部材とし、突起部６１２がカバー部９１２に固着される構造としたり、或いはカバー部９１２に突起部６１２が一体形成されることもある。
【０１１２】
感温リリーフバルブＢの感温駆動部４２及び感温弁部４１は、これらをポンプハウジング９１内に装着するために、その装着スペースが必要であり、通常は、吐出部９Ｂのハウジング内上流流路６１１等の流路が屈曲する部分に設けられることが多く、且つ流路の長手方向に直交する断面の中央ではなく、端部側寄りの位置となる。そのために、感温駆動部４２の感温センサ４２ｃに対してオイルの流れが集中し難くなり、油温の変化を検知する速度が遅くなりがちである（図１６参照）。
【０１１３】
このように、吐出部９Ｂで且つ前記感温リリーフバルブＢの上流側近傍の位置に突起部６１２を形成して、感温駆動部４２の特に感温センサ４２ｃ箇所にオイルの流れを集中させることで、感温駆動部４２の感温センサ４２ｃが油温の変化を早く検知し、感温リリーフバルブＢの油温に対する応答を迅速にすることができる。また、突起部６１２の傾斜面６１２ｂを緩傾斜とすることにより、ハウジング内上流流路６１１を流れるオイルに乱流が発生し難い構造にでき、騒音を低減できる。感温リリーフバルブＢは、特に図示しないが、前記ホルダ４４に感温駆動部４２のピストン４２ｂの軸端部が当接され、ピストン４２ｂの下方に感温センサ４２ｃが配置され、該感温センサ４２ｃの下方に感温弁部４１が配置される構成としてもよい。これは、例えば特開２０１４−１４５４６８号公報の図３に示されたサーモバルブのような構成である。この場合でもピストン４２ｂの伸縮によって、感温弁部４１及び感温センサ４２ｃは共に上下動する構成となり、この構成についても、本発明は成立し、本発明の技術思想の範囲内である。
【符号の説明】
【０１１４】
Ａ…油圧リリーフバルブ、１…弁体、Ｂ…感温リリーフバルブ、４…感温弁体、
４１…感温弁部、４１４…流入孔、４２ｂ…ピストン、４２…感温駆動部、
５…感温ハウジング、５２…第２リリーフ流出部、６…オイル循環回路、
６１…上流流路、６１２…突起部、６２…下流流路、９…オイルポンプ、
７…リリーフ流路、７１…第１リリーフ分岐流路、７２…第２リリーフ分岐流路、
９Ａ…吸入部、９Ｂ…吐出部、Ｅ…エンジン。
【図１】
0006706028.tif 000002
【図２】
0006706028.tif 000003
【図３】
0006706028.tif 000004
【図４】
0006706028.tif 000005
【図５】
0006706028.tif 000006
【図６】
0006706028.tif 000007
【図７】
0006706028.tif 000008
【図８】
0006706028.tif 000009
【図９】
0006706028.tif 000010
【図１０】
0006706028.tif 000011
【図１１】
0006706028.tif 000012
【図１２】
0006706028.tif 000013
【図１３】
0006706028.tif 000014
【図１４】
0006706028.tif 000015
【図１５】
0006706028.tif 000016
【図１６】
0006706028.tif 000017